(57)【要約】【課題】剛性容器を要することなく、内容物を収容したパウチを購入したとき、このパウチに着脱自在に装着することのできる口栓を提供すること。【解決手段】開口部にファスナーを有するパウチ１０に装着して、パウチから内容物を注出する口栓であって、パウチ１０と接合するパウチ接合部２３を有しており、このパウチ接合部２３を左舷側と右舷側とに区分したとき、左舷側にはパウチ１０の凸条ファスナー１１ｘと嵌合する線状凹部２３ｙを有し、右舷側にはパウチ１０の凹条ファスナー１２ｙと嵌合する線状凸部２３ｘを有している。これら線状凹部２３ｙ及び線状凸部２３ｘを嵌合として、パウチに着脱自在に装着することができる。【選択図】図４
2020001754.tif 000002
【特許請求の範囲】
【請求項１】
開口部にファスナーを有するパウチに装着して、パウチから内容物を注出する口栓であって、
前記ファスナーに嵌合する嵌合部を周囲に有することを特徴とするパウチ用口栓。
【請求項２】
前記嵌合部を全周に渡って有することを特徴とする請求項１に記載のパウチ用口栓。
【請求項３】
前記嵌合部を表裏２面に区分されており、その一方の嵌合部がパウチの凸条ファスナーに嵌合する線状凹部で構成され、他方の嵌合部がパウチの凹条ファスナーに嵌合する線状凸部で構成されていることを特徴とする請求項１又は２に記載のパウチ用口栓。
【請求項４】
前記嵌合部が、パウチの凹条ファスナーに嵌合する線状凸部又はパウチの凸条ファスナーに嵌合する線状凹部で構成されていることを特徴とする請求項１又は２に記載のパウチ用口栓。
【請求項５】
前記嵌合部が、複数本の線状凸部又は線状凹部で構成されていることを特徴とする請求項１〜４のいずれかに記載のパウチ用口栓。
【発明の詳細な説明】
【技術分野】
【０００１】
本発明は、パウチに着脱自在に装着することのできる口栓に関する。本発明の口栓によれば、パウチに収容された製品を消費した後にも、新たに口栓付きの容器に収容された製品を購入することなく、口栓のない安価なパウチに収容された製品を購入することにより、そのパウチに口栓を装着して使用することができる。
【背景技術】
【０００２】
食品分野やトイレタリー分野では、その容器として、ガラス製又はプラスチック製で口栓付きの剛性容器と軟質で袋状のパウチとの２種類の容器が使用されている。口栓付きの剛性容器はパウチより高価であるから、この剛性容器に内容物を消費した後には、パウチ入りの製品を購入し、その内容物を剛性容器に詰替えて使用するのである（特許文献１，２参照）。
【０００３】
しかしながら、このように２種類の容器を使用しているため、そのメーカーは、同一製品について剛性容器入りとパウチ入りの２種類の製品を製造する必要がある。
【０００４】
一方、消費者は、剛性容器入りの製品を一旦購入した後には、その内容物を消費したときには、パウチ入りの製品を購入すればよい。しかしながら、パウチから剛性容器に詰替える際に内容物をこぼすことがある。また、剛性容器を破損したり汚したりした場合には、改めて剛性容器入りの製品を購入しなければならない。また、剛性容器を使い回してこの剛性容器に別の内容物を詰替えた場合には、剛性容器に記載された商品情報が詰替えた内容物と異なるため、誤用するおそれもある。
【０００５】
このようにパウチ入りの製品を剛性容器に詰替えて使用することは、メーカーにとっても、あるいは消費者にとっても、さまざまなデメリットを残している。
【先行技術文献】
【特許文献】
【０００６】
【特許文献１】特開２０１５−１３６８２号公報
【特許文献２】特開２０１６−１０８０３７号公報
【発明の概要】
【発明が解決しようとする課題】
【０００７】
そこで、本発明は、剛性容器を要することなく、内容物を収容したパウチを購入したとき、このパウチに着脱自在に装着することのできる口栓を提供することを目的とする。
【課題を解決するための手段】
【０００８】
すなわち、請求項１に記載の発明は、開口部にファスナーを有するパウチに装着して、パウチから内容物を注出する口栓であって、
前記ファスナーに嵌合する嵌合部を周囲に有することを特徴とするパウチ用口栓である。
【０００９】
次に、請求項２に記載の発明は、前記嵌合部を全周に渡って有することを特徴とする請求項１に記載のパウチ用口栓である。
【００１０】
次に、請求項３に記載の発明は、前記嵌合部を表裏２面に区分されており、その一方の嵌合部がパウチの凸条ファスナーに嵌合する線状凹部で構成され、他方の嵌合部がパウチ
の凹条ファスナーに嵌合する線状凸部で構成されていることを特徴とする請求項１又は２に記載のパウチ用口栓である。
【００１１】
次に、請求項４に記載の発明は、前記嵌合部が、パウチの凹条ファスナーに嵌合する線状凸部又はパウチの凸条ファスナーに嵌合する線状凹部で構成されていることを特徴とする請求項１又は２に記載のパウチ用口栓である。
【００１２】
次に、請求項５に記載の発明は、前記嵌合部が、複数本の線状凸部又は線状凹部で構成されていることを特徴とする請求項１〜４のいずれかに記載のパウチ用口栓である。
【発明の効果】
【００１３】
本発明の口栓はパウチのファスナーに嵌合する嵌合部を有しているため、この嵌合部とパウチのファスナーとを互いに嵌合することにより装着することができる。そして、こうして口栓を装着したパウチは、口栓を通してその内容物を注出することができる。
【００１４】
このように、本発明によれば、剛性容器を要することなく、直接パウチに口栓を装着することができるので、従来のように、同一製品について口栓付きの剛性容器と軟質のパウチに２種類の容器を製造する必要がない。また、内容物をパウチから剛性容器に詰替えることもないから、詰め替えの際にこぼすおそれがなく、パウチの商品情報と内容物との間に齟齬が生じることもない。もちろん、パウチを汚したり破損したりした場合にも、その損害は軽微で、剛性容器を購入する必要もない。
【００１５】
なお、口栓は、その嵌合部とパウチのファスナーとを互いに嵌合することによって装着しているに過ぎないから、これを取り外すことも容易である。そして、取り外した口栓は、新たに購入したパウチに装着することができる。
【図面の簡単な説明】
【００１６】
【図１】図１は本発明の具体例に係り、図１（ａ）はパウチの斜視図、図１（ｂ）はパウチを構成するシートを説明するために説明用分解斜視図である。
【図２】図２は本発明の具体例に係り、図２（ａ）はパウチを構成する表側シートの平面図、図２（ｂ）はその要部断面図である。
【図３】図３は本発明の具体例に係り、図３（ａ）はパウチを構成する裏側シートの平面図、図３（ｂ）はその要部断面図である。
【図４】図４は本発明の具体例に係り、図４（ａ）は口栓の斜視図、図４（ｂ）はその要部断面図である。
【図５】図５は本発明の具体例に係り、パウチを開封した状態の正面図である。
【図６】図６は本発明の具体例に係り、図６（ａ）は口栓をパウチに装着した状態の斜視図、図６（ｂ）はさらにキャップを装着した状態の斜視図である。
【図７】図７は本発明の別の具体例に係り、その口栓の斜視図である。
【発明を実施するための形態】
【００１７】
以下、図面を参照して本発明の具体例を説明する。
【００１８】
本発明に係る口栓は、開口部にファスナーを有するパウチに装着するものである。そこで、まず、このパウチについて説明する。図１（ａ）はパウチの斜視図、図１（ｂ）はパウチを構成するシートを説明するために説明用分解斜視図である。また、図２（ａ）はパウチを構成する表側シートの平面図、図２（ｂ）はその要部断面図であり、図３（ａ）はパウチを構成する裏側シートの平面図、図３（ｂ）はその要部断面図である。
【００１９】
図１から分かるように、このパウチ１０は、表側シート１１、裏側シート１２及び底部
側シート１３の３枚のシートで構成されたスタンディングパウチである。なお、内容物については図示を省略している。
【００２０】
周知のように、底部側シート１３は二つ折りして、その折目線を上側に向けて表側シート１１と裏側シート１２との間に挟まれている。そして、周縁をシール線１０ａとして、これら３枚のシートをヒートシールして構成されている。そして、このパウチ１０は、上側、すなわち、底部側シート１３の反対側を開口部として、この開口部近傍に開封用切断予定線１０ｂが設けられている。
【００２１】
ところで、このパウチ１０には、ファスナーが設けられている。ファスナーは、表側シート１１の内面に設けられた凸条ファスナー１１ｘと裏側シート１２の内面に設けられた凹条ファスナー１２ｙとで構成されたもので、これら凸条ファスナー１１ｘと凹条ファスナー１２ｙとが互いに嵌合してファスナーを構成している。
【００２２】
なお、この例では、表側シート１１のファスナーを凸条ファスナー１１ｘとし、裏側シート１２のファスナーを凹条ファスナー１２ｙとして、両者を互いに嵌合させているが、後述するように、表側シート１１のファスナーと裏側シート１２のファスナーの両者を凸条ファスナー１１ｘとしてもよいし、この両者を凹条ファスナー１２ｙとしてもよい。もちろん、このように表側シート１１のファスナーと裏側シート１２のファスナーの両者を同一種類のファスナーで構成した場合には、これら両者を互いに嵌合ことはできない。
【００２３】
次に、本発明に係る口栓について説明する。図４（ａ）は口栓の斜視図、図４（ｂ）はその要部断面図である。
【００２４】
前述のように、口栓２０はパウチ１０の開口部に装着してパウチから内容物を注出するものである。このため、口栓２０はその中央に内容物の注出を可能とする注出路２０ａを有している。一般に、筒状である。なお、この注出路２０ａを塞ぐ閉鎖板とこの閉鎖板を除去するプルタブとを有するものであってもよいが、この閉鎖板は口栓２０の使用開始時に除去するものであり、口栓２０は複数のパウチに繰り返して脱着して使用するものなので、これら閉鎖板とプルタブとを有する必要はない。
【００２５】
口栓２０は、その上方から順に、外筒２１、キャップ止め２２、パウチ接合部２３で構成されている。前述のように、注出路２０ａはこれら外筒２１、キャップ止め２２及びパウチ接合部２３を上下方向に貫通しているものである。
【００２６】
外筒２１はパウチ１０の内容物を注出する出口となるものである。そして、その外面には、キャップ３０を螺合するためのネジ部２１ａが設けられている。このため、外筒２１はその横断面外形が円形をしている。すなわち、外筒２１は中央に注出路２０ａを有する円筒状である。
【００２７】
キャップ止め２２は、口栓２０にキャップ３０を螺合したとき、キャップ３０先端を当接してその位置決めをするものである。このため、キャップ止め２２は外筒２１よりも大径であることを要する。その横断面外形は任意でよく、円形状や楕円形状であってもよいが、この例では、偏平な舟型形状としている。
【００２８】
次に、パウチ接合部２３は口栓２０をパウチ１０に接合して固定する部分である。パウチ接合部２３の横断面外形は任意でよく、円形状や楕円形状であってもよいが、このパウチ接合部２３をパウチ１０と接合したとき、両者の間に隙間ができないように偏平な舟型形状を有することが望ましい。
【００２９】
そして、このパウチ接合部２３とパウチ１０とを接合するため、パウチ接合部２３には、その全周に渡って嵌合部が設けられている。
【００３０】
この嵌合部はパウチ１０のファスナーに嵌合するものである必要がある。この例では、表側シート１１のファスナーを凸条ファスナー１１ｘとし、裏側シート１２のファスナーを凹条ファスナー１２ｙとしているから、これに対応して、凸条ファスナー１１ｘに嵌合する線状凹部２３ｙと、凹条ファスナー１２ｙに嵌合する線状凸部２３ｘとでこの嵌合部を構成している。
【００３１】
すなわち、図４（ｂ）に示すように、舟型形状のパウチ接合部２３を左舷側と右舷側とに区分したとき、左舷側には線状凹部２３ｙが設けられ、右舷側には線状凸部２３ｘが設けられている。
【００３２】
このため、この口栓２０をパウチ１０の開口部から挿入して、パウチ１０のファスナーと嵌合させる場合、口栓２０の左舷側の線状凹部２３ｙとパウチ１０の表側シート１１の凸条ファスナー１１ｘとが互いに嵌合し、口栓２０の右舷側の線状凸部２３ｘとパウチ１０の裏側シート１２の凹条ファスナー１２ｙとが互いに嵌合して、両者が接合され、固定される。また、この口栓２０の周囲においては、パウチ１０の凸条ファスナー１１ｘと凹条ファスナー１２ｙとが互いに嵌合するから、口栓２０の周囲に隙間ができることはない。
【００３３】
なお、パウチ１０の表側シート１１のファスナーと裏側シート１２のファスナーの両者を凸条ファスナー１１ｘとした場合には、口栓２０の嵌合部を全周に渡ってこの凸条ファスナー１１ｘに嵌合する線状凹部２３ｙで構成すればよい。パウチ１０の表側シート１１のファスナーと裏側シート１２のファスナーの両者を凹条ファスナー１２ｙとした場合には、口栓２０の嵌合部を全周に渡って線状凸部２３ｘとすることにより、これら凹条ファスナー１２ｙと線状凸部２３ｘとを互いに嵌合することができる。この場合には、口栓２０の周囲に隙間ができないように、口栓２０の周長とパウチ１０の開口部の周長とは略同一であることが望ましい。
【００３４】
以上の説明から、この口栓２０を使用する方法は自明と思われるが、念のため、その使用方法についても説明する。図５〜図６はその使用方法を示すものである。
【００３５】
すなわち、まず、パウチ１０を開封用切断予定線１０ｂで切断して開口する（図５参照）。
【００３６】
次に、パウチ１０のこの開口部から口栓２０を挿入し、口栓２０の嵌合部とパウチ１０のファスナーとを互いに嵌合することにより、口栓２０をパウチ１０に接合して固定することができる（図６（ａ）参照）。そして、このように口栓２０を装着したパウチ１０は、その口栓２０の注出路２０ａから内容物を注出することができる。
【００３７】
なお、こうして口栓２０を装着したパウチ１０を保存するため、口栓２０にキャップ３０を螺合してその注出路２０ａを塞ぐことが望ましい（図６（ｂ）参照）。
【００３８】
パウチ１０に装着した口栓２０は容易に取り外すことができる。このため、消費者がその内容物を消費した場合には、パウチ１０から口栓２０を取り外し、新たに購入したパウチに装着して使用することができる。
【００３９】
なお、この例では、口栓２０の嵌合部が１本の線状凸部や線状凹部で構成されていたが、この嵌合部を複数本の線状凸部や線状凹部で構成することも可能である。図７はこのような口栓２０の例を示すもので、線状凸部や線状凹部を２本としたものである。すなわち、この例では、パウチ接合部２３の左舷側には、上側に線状凹部２３ｙ、下側に線状凸部２３ｘが位置するように、線状凹部２３ｙと線状凸部２３ｘとを上下に並べている。その反対側、すなわち、右舷側では、上側に線状凸部２３ｘ、下側に線状凹部２３ｙが位置するようにこの両者が配置されている。この口栓によれば、上下いずれかの線状凸部２３ｘ及び線状凹部２３ｙを利用してパウチ１０に固定することができるから、その一方が損傷した場合であっても、口栓をパウチ１０に装着することが可能である。
【００４０】
また、以上の例では、口栓はパウチと別体のものとされていたが、この口栓を取り外し容易にパウチに装着して供給してもよい。例えば、口栓をパウチ内面に剥離容易にヒートシールしておけば、口栓を剥離して取り外すことができる。
【符号の説明】
【００４１】
１０：パウチ    １０ａ：周縁シール線    １０ｂ：開封用切断予定線
１１：表側シート    １１ｘ：凸条ファスナー
１２：裏側シート    １２ｙ：凹条ファスナー
１３：底部側シート
２０：口栓    ２０ａ：注出路
２１：外筒    ２１ａ：ネジ部
２２：キャップ止め
２３：パウチ接合部    ２３ｘ：線状凸部    ２３ｙ：線状凹部
【図１】
2020001754.tif 000003
【図２】
2020001754.tif 000004
【図３】
2020001754.tif 000005
【図４】
2020001754.tif 000006
【図５】
2020001754.tif 000007
【図６】
2020001754.tif 000008
【図７】
2020001754.tif 000009